(57)【要約】【課題】股周りでの排泄物漏洩と液吸収体のスクイズ変形を防止できる内羽根式おむつの提供。【解決手段】  おむつの前身頃と後身頃を、それぞれの左右両側に平面ファスナーを設けると共に、後身頃の両側にはベルトとして機能する平面ファスナー付付き短冊片を取り付け、さらに、おむつの内側中央に配置される液吸収体に、横方向の張力を及ぼす弾性部材を配設した内羽根式おむつ。【選択図】図１
2007244650.tif 000002
【特許請求の範囲】
【請求項１】
直角四辺形を呈する原シートの対向する２辺のそれぞれ中央部を切除し、前記２辺に平行なシート中心線に関して左右対称な２つの湾入部を設けることで形成されるところの、１つの狭隘領域と、この狭隘領域を挟んで上下に位置する前部側非狭隘領域及び後部側非狭隘領域の３領域からなる外装シートと、俯瞰図が長方形、砂時計形またはひょうたん形であって、その長径方向中心線が上記のシート中心線に重なるように、前記外装シートの内面側の狭隘領域に取り付けられた液吸収体と、さらに、前記外装シートの後部側非狭隘領域の左右両側にある縦方向自由端の上位域に取り付けられたファスナー手段を備えた内羽根式おむつにおいて、
（Ａ）原シートに湾入部を設けた際に切除された辺の長さｌと、切除されずに残る辺の長さ２Ｌとの比、ｌ／２Ｌが１／８０〜８／９の範囲にあり、
（Ｂ）外装シートの狭隘領域に取り付けた液吸収体が、外装シートの前部側及び後部側の２つの非狭隘領域まで延設され、
（Ｃ）外装シートの湾入部自由端からの距離が２ｍｍ〜５０ｍｍの範囲内で、その自由端に沿って１本またはそれ以上の第１弾性部材が配設され、
（Ｄ）上記した前部側非狭隘領域及び後部側非狭隘領域まで延設された液吸収体の左端に左方向の、右端に右方向の張力を及ぼす第２弾性部材が、前部側非狭隘領域及び後部側非狭隘領域に配設され、
（Ｅ）上記した後部側非狭隘領域の左右両側にある縦方向自由端のそれぞれの外面側に、第１平面ファスナーのループ材又はフック材の一方が、上記後部側非狭隘領域の縦方向自由端に沿って連続的に又は断続的に配設され、外装シートの前部側非狭隘領域の左右両側にある縦方向自由端のそれぞれの内面側に、前記第１平面ファスナーを構成するフック材又はループ材の他方が、上記前部側非狭隘領域の縦方向自由端に沿って連続的に又は断続的に配設され、
（Ｆ）上記した後部側非狭隘領域の左右両側にある縦方向自由端のそれぞれの内面側上位域に、各々短冊片が取り付けられ、それら短冊片の一方には、その内側表面に第２平面ファスナーのフック材又はループ材の一方が設けられ、他方の短冊片には、その外側表面に前記第２平面ファスナーを構成するループ材又はフック材の他方が設けられていると共に、当該短冊片の内側表面に第３平面ファスナーのループ材又はフック材の一方が設けられ、前記第３平面ファスナーを構成するループ材又はフック材の他方が、上記した前部側非狭隘領域の横方向自由端の中央部分に設けられている、
ことを特徴する前記の内羽根式おむつ。
【請求項２】
外装シートが１枚の非弾性不織布からなり、第１弾性部材および第２弾性部材が前記不織布の少なくとも片面に配設されていることを特徴とする請求項１記載の内羽根式おむつ。
【請求項３】
外装シートが２枚の非弾性不織布からなり、第１弾性部材および第２弾性部材が２枚の非弾性不織布の間に挟持されていることを特徴とする請求項１記載の内羽根式おむつ。
【請求項４】
複数本の第２弾性部材によってもたらされる外装シートの前側非狭隘領域及び後側非狭隘領域の横方向に収縮力が、液吸収体と重なる部分で解除されている請求項１記載の内羽根式おむつ。
【請求項５】
直角四辺形を呈する原シートの対向する２辺のそれぞれ中央部を切除し、前記２辺に平行なシート中心線に関して左右対称な２つの湾入部を設けることで形成されるところの、１つの狭隘領域と、この狭隘領域を挟んで上下に位置する前部側非狭隘領域及び後部側非狭隘領域の３領域からなる外装シートと、俯瞰図が長方形、砂時計形またはひょうたん形であって、その長径方向中心線が上記のシート中心線に重なるように、前記外装シートの内面側の狭隘領域に取り付けられた液吸収体と、さらに、前記外装シートの後部側非狭隘領域の左右両側にある縦方向自由端の上位域に取り付けられたファスナー手段を備えた内羽根式おむつにおいて、
（Ａ'）上記原シートが、３枚の非弾性帯状片（イ）と２枚の弾性帯状片（ロ）とを、（イ）（ロ）（イ）（ロ）（イ）の順に並べて隣接する各長辺を接合した接合シートからなり、この接合シートの中央に位置する非弾性帯状片（イ）の中心を通りその長辺に平行なシート中心線に関して対称な湾入部を、前記接合シートの最も外側に位置する２つの非弾性帯状片（イ）それぞれの自由辺に設けることで上記の外装シートが形成され、
（Ｂ'）上記原シートに湾入部を設けた際に切除された辺の長さｌと、切除されずに残る辺の長さ２Ｌとの比、ｌ／２Ｌが１／８０〜８／９の範囲にあり、
（Ｃ'）外装シートの狭隘領域に取り付けた液吸収体が、外装シートの前部側及び後部側の２つの非狭隘領域まで延設され、かつ、２つの非狭隘領域まで延設された液吸収体の両側は、外装シートの中央に位置する非弾性帯状片（イ）の両側に位置する弾性帯状片（ロ）まで延設されており、
（Ｄ'）外装シートの湾入部の自由端からの距離が２ｍｍ〜５０ｍｍの範囲内で、その自由端に沿って１本またはそれ以上の第１弾性部材が配設され、
（Ｅ'）上記した後部側非狭隘領域の左右両側にある縦方向自由端のそれぞれの外面側に、第１平面ファスナーのループ材又はフック材の一方が、上記後部側非狭隘領域の縦方向自由端に沿って連続的に又は断続的に配設され、外装シートの前部側非狭隘領域の左右両側にある縦方向自由端のそれぞれの内面側に、前記第１平面ファスナーを構成するフック材又はループ材の他方が、上記前部側非狭隘領域の縦方向自由端に沿って連続的に又は断続的に配設され、
（Ｆ'）上記した後部側非狭隘領域の左右両側にある縦方向自由端のそれぞれの内面側上位域に、各々短冊片が取り付けられ、それら短冊片の一方には、その内側表面に第２平面ファスナーのフック材又はループ材の一方が設けられ、他方の短冊片には、その外側表面に前記第２平面ファスナーを構成するループ材又はフック材の他方が設けられていると共に、当該短冊片の内側表面に第３平面ファスナーのループ材又はフック材の一方が設けられ、前記第３平面ファスナーを構成するループ材又はフック材の他方が、上記した前部側非狭隘領域の横方向自由端の中央部分に設けられている、
ことを特徴とする前記の内羽根式おむつ。
【請求項６】
前記液吸収体の裏面に、上記シート中心線に平行な複数本の第３弾性部材が配設されている請求項１又は請求項５の内羽根式おむつ。
【発明の詳細な説明】
【技術分野】
【０００１】
本発明は内羽根式おむつに関するものであって、着用した際に人体へのフィット性に優れ、着用時に排泄物が内部に放出された際には、股回りから排泄物が漏洩する事が画期的に少なくなるベルト型おむつに係る。
【背景技術】
【０００２】
おむつは、おむつカバーと一緒に使用されるフラット型のものを除くと、乳幼児用及び大人用ともテープ型おむつ又はベルト型おむつと、パンツ型おむつとに大別することができる。一般的には歩く事ができるなどのＡＤＬ（日常生活動作）の高い人は、パンツ型おむつを、一方、寝たきりなどのＡＤＬの低い人にはテープ型おむつ又はベルト型おむつが主として使用されている。
【０００３】
テープ型おむつとベルト型おむつは、共に背部領域と股下領域と腹部領域からなる外装シートの股下領域の内側に液吸収体を配設して、外装シートの背部領域の両側を翼状に張り出させてこの部分に適当な止着材と取り付けた構造にあり、基本構造に大きな違いはない。しかし、テープ型おむつとベルト型おむつとは、被着用者への装着手順と、装着後の前記翼状部分が所在が若干相違する。
【０００４】
テープ型おむつは、ヒトの腰部に外装シートの背部領域（後身頃）を宛がい、次いで外装シートの腹部領域（前身頃）をヒトの腹部に合わせ、しかる後、外装シートの背部領域の左右に張り出した翼状部分を、外装シートの腹部領域にこれに重ねて止着する。従って、装着完了時点でテープ型おむつは、外装シートの背部領域から延出する翼状部分が、おむつの外側に露呈することになるので、外羽根式おむつと別称される。
【０００５】
一方、ベルト型おむつは、ヒトの腰部に外装シートの背部領域（後身頃）を宛がい、次に背部領域の両側から左右に張り出した翼状部分を、ヒトの腹部に折り返して止着し、しかる後、外装シートの腹部領域（前身頃）を、ヒトの腹部に位置する前記翼状部分に重ねて止着する。従って、装着完了時点でベルト型おむつは、前記の翼状部分が外装シートの腹部領域で隠された状態になるので、内羽根式おむつと別称される。
【０００６】
外羽根式のテープ型おむつと、内羽根式のベルト型おむつを、装着のし易さで対比すると、前者はおむつの腹部領域をヒトの腹部に押し付け、これが緩まない状態を維持しながら、背部領域から左右に延出した２枚の翼状部分も緩まないように、おむつの腹部領域に止着して装着が完了する。つまり、テープ型おむつは、装着に際してヒトの腹部に押し付ける腹部領域と、左右２つの翼状部分に手を添えなければならない３点支持を必要とするので、熟練しないと、テープ型おむつをヒトにフィットさせて装着することができない。
【０００７】
これに対して、内羽根式のベルト型おむつは、おむつの背部領域の左右に張り出した翼状部分を、ヒトの胴回りに巻いてその腹部にて左右の翼状部分を相互に止着することで、おむつを人体の腰部に固定することができ、しかる後、おむつの腹部領域を人体腹部に巻きつけられた翼状部分に止着すれば、装着が完了するので、初心者でも人体にフィットさせて装着することができる。加えて、ベルト型おむつは、ヒトが立っている状態でも、装着ができる利点がある。
【０００８】
しかし、一般に、内羽根式のベルト型おむつ（以下、内羽根式おむつと呼ぶ）には、次のような欠点が指摘されている。第１に、内羽根式おむつは、外羽根式のテープ型おむつに比較して、翼状部分の面積を大きくする必要があるため、材料費が嵩む不利がある。
【０００９】
第２に、内羽根式おむつは、装着状態において、着用者の動きに起因して左右上下の複数な応力を受けるため、翼状部分の一部が浮き上がったり、撚れたり、翼状部分の止着が弛緩しやすいことである。
【００１０】
第３に、装着状態において、内羽根式おむつの翼状部分は、着用者の腹部を直接覆う状態にあるので、翼状部分の大きさや形状の如何によっては、おむつに内装されている液吸収体の人体への接触が、翼状部分で邪魔される心配がある。
【００１１】
第４に、内羽根式おむつでは、基本的には、腰周り寸法の調節を左右に張り出した翼状部分の重ね合せ量の多寡によって行い、脚周り寸法の調節は、着用者の腹部の上で重なり合った前記翼状部分と、おむつ本体の腹部領域とが重なり合う量の多寡によって行うため、着用者の体型によっては適正なフィット性が得られない。
【００１２】
このような問題を解決するものとして、外装シートの背部領域から左右に張り出す翼状部分を特殊な形状に成形することで、着用者の臀部を覆うことができ、しかも、その翼状部分がおむつに内装した液吸収体を邪魔しない内羽根式おむつが提案されている（特許文献１参照）。
【００１３】
また、内羽根式おむつの腰周りのフィット性を改善し、装着中の腰周りの緩みを奉仕するために、外装シートの背部領域から左右に張り出す翼状部分に、翼長方向に伸縮する弾性材料を配設する提案もある（特許文献２、特許文献３参照）。
【特許文献１】特許第３２１８４９３号公報
【特許文献２】特開平９−１５４８８４号公報
【特許文献３】特開平１０−５７４１３号公報
【００１４】
従来の内羽根式おむつの多くは、装着当初は一応人体にしっかりフィットするが、時間の経過と共に、翼状部分相互の係合状態が緩み、これに原因して股下部から液漏れが起こる心配がある。また、おむつの装着時間が長くなると、おむつの股下領域内側に取り付けられた液吸収体は、着用者の普通の動きだけでも頻繁にスクイズされる結果、紐状に変形してしまう事が珍しくない。このような変形は液吸収体の吸収能力を低減させ、前記股下部の緩みと相俟って排泄物の洩れを誘発する。
【発明の開示】
【発明が解決しようとする課題】
【００１５】
本発明は、内羽根式おむつに指摘される上記した幾つかの欠点を解消し、おむつ自体の人体へのフィット性を一段と向上させると共に、おむつの装着状態に緩みが発生するのを極力抑え、併せて液吸収体の変形をも抑制して排泄物の洩れを限りなく少なくできるうち羽根式おむつを提供することを目的とする。
【課題を解決するための手段】
【００１６】
本発明に係る内羽根式おむつの一つは、直角四辺形を呈する原シートの対向する２辺のそれぞれ中央部を切除し、前記２辺に平行なシート中心線に関して左右対称な２つの湾入部を設けることで形成されるところの、１つの狭隘領域と、この狭隘領域を挟んで上下に位置する前部側非狭隘領域及び後部側非狭隘領域の３領域からなる外装シートと、俯瞰図が長方形、砂時計形またはひょうたん形であって、その長径方向中心線が上記のシート中心線に重なるように、前記外装シートの内面側の狭隘領域に取り付けられた液吸収体と、さらに、前記外装シートの後部側非狭隘領域の左右両側にある縦方向自由端の上位域に取り付けられたファスナー手段を備えた内羽根式おむつにおいて、次に規定する（Ａ）〜（Ｆ）の６要件を全て満たしていることを特徴とする。
【００１７】
（Ａ）原シートに湾入部を設けた際に切除された辺の長さｌと、切除されずに残る辺の長さ２Ｌとの比、ｌ／２Ｌが１／８０〜８／９の範囲にある。
（Ｂ）外装シートの狭隘領域に取り付けた液吸収体が、外装シートの前部側及び後部側の２つの非狭隘領域まで延設されている。
（Ｃ）外装シートの湾入部自由端からの距離が２ｍｍ〜５０ｍｍの範囲内で、その自由端に沿って１本またはそれ以上の第１弾性部材が配設されている。
（Ｄ）上記した前部側非狭隘領域及び後部側非狭隘領域まで延設された液吸収体の左端に左方向の、右端に右方向の張力を及ぼす第２弾性部材が、前部側非狭隘領域及び後部側非狭隘領域に配設されている。
（Ｅ）上記した後部側非狭隘領域の左右両側にある縦方向自由端のそれぞれの外面側に、第１平面ファスナーのループ材又はフック材の一方が、上記後部側非狭隘領域の縦方向自由端に沿って連続的に又は断続的に配設され、外装シートの前部側非狭隘領域の左右両側にある縦方向自由端のそれぞれの内面側に、前記第１平面ファスナーを構成するフック材又はループ材の他方が、上記前部側非狭隘領域の縦方向自由端に沿って連続的に又は断続的に配設されている。
（Ｆ）上記した後部側非狭隘領域の左右両側にある縦方向自由端のそれぞれの内面側上位域に、各々短冊片が取り付けられ、それら短冊片の一方には、その内側表面に第２平面ファスナーのフック材又はループ材の一方が設けられ、他方の短冊片には、その外側表面に前記第２平面ファスナーを構成するループ材又はフック材の他方が設けられていると共に、当該短冊片の内側表面に第３平面ファスナーのループ材又はフック材の一方が設けられ、前記第３平面ファスナーを構成するループ材又はフック材の他方が、上記した前部側非狭隘領域の横方向自由端の中央部分に設けられている。
【００１８】
本発明に係る内羽根式おむつの他の一つは、直角四辺形を呈する原シートの対向する２辺のそれぞれ中央部を切除し、前記２辺に平行なシート中心線に関して左右対称な２つの湾入部を設けることで形成されるところの、１つの狭隘領域と、この狭隘領域を挟んで上下に位置する前部側非狭隘領域及び後部側非狭隘領域の３領域からなる外装シートと、俯瞰図が長方形、砂時計形またはひょうたん形であって、その長径方向中心線が上記のシート中心線に重なるように、前記外装シートの内面側の狭隘領域に取り付けられた液吸収体と、さらに、前記外装シートの後部側非狭隘領域の左右両側にある縦方向自由端の上位域に取り付けられたファスナー手段を備えた内羽根式おむつにおいて、次に規定する（Ａ'）〜（Ｆ'）の６要件を全て満たしていることを特徴とする。
【００１９】
（Ａ'）上記原シートが、３枚の非弾性帯状片（イ）と２枚の弾性帯状片（ロ）とを、（イ）（ロ）（イ）（ロ）（イ）の順に並べて隣接する各長辺を接合した接合シートからなり、この接合シートの中央に位置する非弾性帯状片（イ）の中心を通りその長辺に平行なシート中心線に関して対称な湾入部を、前記接合シートの最も外側に位置する２つの非弾性帯状片（イ）それぞれの自由辺に設けることで上記の外装シートが形成されている。
（Ｂ'）上記原シートに湾入部を設けた際に切除された辺の長さｌと、切除されずに残る辺の長さ２Ｌとの比、ｌ／２Ｌが１／８０〜８／９の範囲にある。
（Ｃ'）外装シートの狭隘領域に取り付けた液吸収体が、外装シートの前部側及び後部側の２つの非狭隘領域まで延設され、かつ、２つの非狭隘領域まで延設された液吸収体の両側は、外装シートの中央に位置する非弾性帯状片（イ）の両側に位置する弾性帯状片（ロ）まで延設されている。
（Ｄ'）外装シートの湾入部の自由端からの距離が２ｍｍ〜５０ｍｍの範囲内で、その自由端に沿って１本またはそれ以上の第１弾性部材が配設されている。
（Ｅ'） 上記した後部側非狭隘領域の左右両側にある縦方向自由端のそれぞれの外面側に、第１平面ファスナーのループ材又はフック材の一方が、上記後部側非狭隘領域の縦方向自由端に沿って連続的に又は断続的に配設され、外装シートの前部側非狭隘領域の左右両側にある縦方向自由端のそれぞれの内面側に、前記第１平面ファスナーを構成するフック材又はループ材の他方が、上記前部側非狭隘領域の縦方向自由端に沿って連続的に又は断続的に配設されている。
（Ｆ'）上記した後部側非狭隘領域の左右両側にある縦方向自由端のそれぞれの内面側上位域に、各々短冊片が取り付けられ、それら短冊片の一方には、その内側表面に第２平面ファスナーのフック材又はループ材の一方が設けられ、他方の短冊片には、その外側表面に前記第２平面ファスナーを構成するループ材又はフック材の他方が設けられていると共に、当該短冊片の内側表面に第３平面ファスナーのループ材又はフック材の一方が設けられ、前記第３平面ファスナーを構成するループ材又はフック材の他方が、上記した前部側非狭隘領域の横方向自由端の中央部分に設けられている。
【発明の効果】
【００２０】
本発明に係る内羽根式おむつは、従前の内羽根式おむつとは相違して、外装シートの前部側非狭隘領域の両側に、縦方向に延びる平面ファスナーのフック材又はループ材の一方を備え、後部側非狭隘領域の両側に、縦方向に延びる平面ファスナーのフック材又はループ材の他方を備えている。このため、本発明の内羽根式おむつをヒトに装着させる場合には、着用者の腰部両側において、おむつの前身頃と後身頃とを止着するが、その止着に際してはおむつの脚周り寸法を着用者の外周にフィットさせることができる。
【００２１】
このことは、外装シートの左右の湾入部において、その自由端に沿って配設されている第１弾性部材と、前部側非狭隘領域と後部側非狭隘領域にそれぞれ配設された第２弾性部材の収縮と相俟って、おむつからの排泄物の漏洩防止に、大いに貢献する。
【００２２】
さらにまた、本発明の内羽根式おむつは、そこに内装されている液吸収体が、第２弾性部材又は弾性帯状片の作用で、左右両方向に緊張させられた状態に保持されるため、液吸収体がスクイズされることが少なく、従って、スクイズによる液吸収体の吸収能力の低下並びに液漏れを軽減させることができる。
【発明を実施するための最良の形態】
【００２３】
本発明に係る内羽根式おむつの具体例を、添付図面に沿って説明する。図１及び図２は、それぞれ本発明に係る内羽根式おむつを展開し、おむつの内面側に設けられている液吸収体を図面の表面に現した図面である。おむつの外装シートが非弾性の原シートから製造されている場合を図１に、非弾性帯状片と弾性帯状片を交互に接合した原シートから製造されている場合を図２に示す。図１及び図２で共通する参照番号は、同一部材を示す。
【００２４】
図１において、外装シート１は、矩形を呈する原シートの対向する２辺のそれぞれ中央部に湾入部２、２'を設けることによって形成される。この２つの湾入部は、前記２辺に平行なシート中心線に関して左右対称な関係にある。原シートは、１枚又は２枚重ねの非弾性不織布であることが好ましい。不織布は、親水性であっても疎水性であっての差し支えなく、不織布を構成している繊維の種類も発明ではこれを問わない。弾性部材を配設しない限り、弾性を発現しない不織布を本発明では非弾性不織布と呼び、固有に弾性を発現する弾性不織布と区別する。
【００２５】
湾入部２、２'を設ける際に切除される原シートの辺の長さをｌとし、切除されずに残る辺の長さを２Ｌとすると、本発明にあっては、ｌ／２Ｌ＝１／８０〜８／９の範囲にある。
左右対称な２つの湾入部２、２'を有する外装シート１は、湾入部を持つ狭隘領域と、湾入部を持たない２つの非狭隘領域とに区分することができる。２つの非狭隘領域は、一つの狭隘領域の挟んで存在し、図１において狭隘領域の上方に位置する領域を、後部側非狭隘領域と呼び、下方に位置する領域を前部側非狭隘領域と呼ぶ。原シートのｌ＋２Ｌは一般的には４５〜９０ｃｍの範囲にあり、これと直交する辺の長さは３０〜９０ｃｍの範囲にある。
【００２６】
本発明のおむつでは、外装シート１の２つの湾入部の自由端に沿って少なくとも１本の、好ましくは２本以上の第１弾性部材４、４'が配設される。配設された第１弾性部材の湾入部自由端からの距離は、２ｍｍ〜５０ｍｍの範囲であることが好ましい。第１弾性部材は、湾入部の自由端全てに配設する必要はない。例えば、図示のように、一方の湾入部周辺から他方の湾入部周辺に延びる２本の弾性部材４、４'を、外装シートの狭隘領域に這わせることでも、第１弾性部材はその役割を全うすることができる。この場合、湾入部周辺から外れる領域に配設された弾性部材は、例えば、液吸収体３の下側に位置する弾性部材は、細かく切断して、その弾性を解除しておくことが好ましい。
【００２７】
おむつに使用される液吸収体は、一般に、フラッフパルプ（綿状パルプ）と高吸水性ポリマーとの混合物、又はこれに熱融着性合成繊維を加えた混合物をコアとし、これを液透過性の表面シートと、液不透過性の裏面シートとで被覆した構造を持つ扁平パッドであって、これを俯瞰した図形は、長方形、砂時計形又はひょうたん形を呈しているのが普通である。液吸収体の表面シートには、親水性の不織布が一般に使用され、裏面シートには液不透過性のプラスチックフィルムまたはこれに不織布を重ね合わせたラミネートフィルムが通常使用される。
【００２８】
図１に示す液吸収体３にも、上記したと同様な構造と形状を持つものが使用でき、図示の例では、俯瞰図が砂時計形の液吸収体が使用されている。液吸収体３を外装シートに取り付けるに当たっては、予め、液吸収体の裏面シートに液吸収体の長径方向に伸縮する１本又はそれ以上の第３弾性部材１４を設けることができる。そして、液吸収体３の裏面シートが外装シート１の狭隘領域内面と隣り合う関係で、液吸収体の長径方向の中心線が、上記したシート中心線に一致するように、液吸収体３は外装シートに取り付けられる。
【００２９】
外装シートの狭隘領域に縦方向（図１の上下方向）に取り付けられる液吸収体３は、本発明では、狭隘領域を横切って、図示の如く、前部側非狭隘領域８及び後部側非狭隘領域７まで延設される。そして、２つの非狭隘領域まで延設された液吸収体３の左端に左方向の、右端に右方向の張力を及ぼす第２弾性部材５、５'が、前部側非狭隘領域８及び後部側非狭隘領域７に配設される。各非狭隘領域へ第２弾性部材の配設は、当該領域の左右方向全体に連なる弾性部材を所定の個所に配設し、その後に液吸収体３の下に位置する弾性部材を細かく切断し、その弾性を解除する方法が採用できる。
【００３０】
第２弾性部材に、例えば紐状弾性体を使用する場合、この弾性体の非狭隘領域での配向方向は、非狭隘領域の横方向自由端と平行であってよく、また、その自由端に対して傾斜していてもよい。
弾性体を傾斜させる場合は、前記シート中心線に関して対して対称に、前部側非狭隘領域８では、前記中心線に向かって上向き傾斜で、後部側非狭隘領域７では、前記中心線に向かって下向き傾斜で、弾性体が配向していることが好ましい。この場合の傾斜角度は、各非狭隘領域で任意に設定することができるが、どちらの領域でも、前記シート中心線に直角に交わる直線に対して３０°以下であることが好ましい。
【００３１】
上記した第１弾性部材、第２弾性部材及び第３弾性部材には、天然ゴム製、ポリウレタン製又はセグメント化ポリウレタン（ライクラ）製の糸状、紐状又はテープ状の弾性体が任意に使用可能である。各弾性部材の収縮力は、その配置個所で求められる収縮力の多寡によって適宜調節される。
第１弾性部材及び第２弾性部材は、外装シートが１枚の不織布から作られる場合はその不織布の片面に設けることが好ましく、２枚の不織布から作られる場合は、第１弾性部材及び第２弾性部材を２枚の不織布で挟持させることが好ましい。
【００３２】
外装シートの後部側非狭隘領域７の両側に位置して縦方向に延びる自由端には、その裏面側に第１平面ファスナーのフック材又はループ材の一方が設けられ、他方は、前部側非狭隘領域８の両側に位置する縦方向自由端の表面側に設けられる。図示の例では、非狭隘領域７の両側で縦方向に延びる左右の自由端には、それぞれそのの裏面側に第１平面ファスナーのループ材１２、１２'が、当該自由端に沿って非連続的に取り付けられ、前部側非狭隘領域８の両側で縦方向に延びる左右の自由端には、それぞれ表面側にループ材１２、１２'と共同して第１平面ファスナーを構成するフック材１３、１３'が、縦方向自由端に沿って非連続的に取り付けられている。
図１では、第１平面ファスナ−を縦方向自由端に沿って非連続的に設置した例が示されているが、第１平面ファスナーは縦方向自由端に沿って連続的に設けることもできる。
【００３３】
本発明に係る内羽根式おむつでは、外装シート１の後部側非狭隘領域７の両側に位置する縦方向自由端に、短冊片６、６'が設けられる。短冊片の設置位置は、外装シートの表面側、換言すれば、液吸収体３が設置される外装シートの内面側であって、前記狭隘領域７の縦方向自由端の上位部、すなわち、当該領域７の横方向自由端に近い個所が選ばれる。
【００３４】
短冊片６、６'の自由端には、それぞれファスナー手段が設けられる。図示の例では、左側短冊片６の自由端には、その表面側に平面ファスナーのフック材１０が、裏面側にループ材９が取り付けられ、右側短冊片６'の自由端には、その裏面側に平面ファスナ−のループ材９'が取り付けられる。また、前部側非狭隘領域８の横方向自由端の中央部表面側には、フック材１１が取り付けられる。前記のループ材９とフック材１０は、第２平面ファスナーを構成し、ループ材９'とフック材１１は第３平面ファスナーを構成する。
つまり、本発明のおむつをヒトが着用した状態において、左側短冊片６の表面に取り付けたれたフック材１０と、右側短冊片６'の裏面に取り付けたループ材９'とは互いに係合し、左側短冊片６の裏面に取り付けたループ材９は、前部側非狭隘領域８の横方向自由端の中央部表面側に取り付けたフック材１１と係合する。
【００３５】
図２に示すおむつは、外装シート１に３枚の非弾性片（イ）と２枚の弾性片（ロ）とからなる接合シートを使用し、外装シート１の２つの非狭隘領域への第２弾性部材の配設を省略した以外は、図１に示すおむつと実質的に同じである。
図２に示す外装シート１の原シートは、３枚の非弾性帯状片（イ）と２枚の弾性帯状片（ロ）とを交互に並べて隣り合う長辺同士を接合して得た矩形の接合シートであって、この接合シートの両側に位置する非弾性帯状片（イ）に、湾入部２、２'を設けたのが外装シート１である。
【００３６】
非弾性帯状片（イ）には通常の非弾性不織布が使用でき、弾性帯状片（ロ）には、弾性不織布またはウレタンフィルムが使用できる。このほか、ウレタンフィルムを１枚または２枚の非弾性不織布と積層した積層体や弾性を付与したオレフィンフィルムなども、弾性帯状片（ロ）として使用可能である。不織布は、弾性、非弾性を問わず、親水性でも疎水性でもよく、不織布を構成している繊維の種類もこれを問わない。
【００３７】
ここで言う帯状片は長方形片と同義であって、その寸法は任意に選ぶことができる。しかし、外装シートの中央に位置する非弾性帯状片の短径方向両側に接合されている２つの弾性帯状片は、中央に位置する非弾性帯状片の長径方向の中心線（これをシート中心線と呼ぶ）に関して、一般に、左右対称である。ちなみに、外装シートの中央に位置する非弾性帯状片の横幅は、１０ｃｍ〜２５ｃｍの範囲で選択され、その両側に位置する弾性帯状片の横幅は、３ｃｍ〜１５ｃｍの範囲で選択されるのが普通である。
【００３８】
外装シート１の湾入部２、２'は、上記したシート中心線に関して左右対称であり、その湾入部の奥行きは、弾性帯状片にまで及んでいて差し支えない。非弾性帯状片（イ）の自由片に湾入部を設けることで切除される辺の長さｌと、切除されずに残る辺の長さ２Ｌとの比、ｌ／２Ｌは、１／８０〜８／９の範囲で選ばれる。
湾入部２、２'には、図１の場合と同様、第１弾性部材４、４'が、設置され、その弾性部材には、図１について説明した各種の弾性体が、任意に使用可能である。
【００３９】
液吸収体３は、外装シート１の狭隘領域の表面側に、液吸収体の長径方向の中心線が上記したシート中心線と一致するように取り付けられるが、その液吸収体は、後部側非狭隘領域７及び前部側非狭隘領域８まで縦方向に延設され、これら２つの非狭隘領域まで延設された液吸収体の少なくとも左右両端は、外装シートを形成する２枚の弾性帯状片と重なった状態にある。こうすることによって、液吸収体３の左端には左方向の張力を、右端には右方向の張力をそれぞれ及ぼすことができる。
液吸収体３を外装シートに取り付けるに当たっては、図１に示したおむつの場合と同様、予め液吸収体３の裏面シートに、液吸収体の長径方向に収縮力を及ぼす第３弾性部材１４を設けることができる。
【００４０】
図２に示す外装シート１の後部側非狭隘領域７には、その両端に、図１のそれと同様に、短冊片６、６'が設置され、その自由端にはそれぞれループ材９、９'、フック材１０が取り付けられ、前部側非狭隘領域８横方向自由端中央には、図１のそれと同様に、フック材１１が取り付けられる。さらに、後部側非狭隘領域７の両側に位置する縦方向自由端には、ループ材１２、１２'が、前部側非狭隘領域８の両側に位置する縦方向自由端には、フック材１３、１３'が、それぞれ各自由端に沿って非連続的又は連側敵に設けられるのも、図１の場合と同様である。
【００４１】
本発明の内羽根式おむつの着用手順は、まず、外装シートの後部側非狭隘領域を、着用者の腰部に巻きつけ、当該領域の左右両側に短冊片を介して取り付けてあるフック材とループ材を、着用者の腹部上で係合させる。これによって、本発明に係るおむつの後身頃は、着用者に安定的に取り付けられる。次に、おむつの前身頃に相当する外装シートの前部側非狭隘領域を、液吸収体が着用者の股間部に配置されるように、着用者の腹部上に折り返し、前部側及び胸部側の非狭隘領域に左右両側に設けられているフック材とループ材を、右側は右側同士、左側は左側同士係合させる。
【００４２】
この場合、前部側非狭隘領域並びに後部側非狭隘領域の左右の自由端に縦長に取り付けられる平面ファスナーに、幅広のファスナーを採用すれば、おむつのレッグホールの寸法を加減することができる。従って、この種のおむつは、着用者の腰周り寸法、臀周り寸法及び脚周り寸法に個体差があっても、その差に順応しておむつをしっかりと着用させることができる。後身頃と前身頃の左右両側のファスナー係合を終えれば、おむつの装着は事実上完了し、後は前部側非狭隘領域の横方向自由端中央に取り付けられている通常はフック材を、着用者の腹部上で先に接続されている短冊片に残る未係合ループ材に係合させる。
【図面の簡単な説明】
【００４３】
【図１】本発明に係る内羽根式おむつの第１実施例を示す展開図
【図２】本発明に係る内羽根式おむつの第２実施例を示す展開図
【符号の説明】
【００４４】
１：外装シート              ２，２'：湾入部
３：液吸収体                ４，４'：第１弾性部材
５，５'：第２弾性部材      ６，６'：短冊片
７：後部側非狭隘領域        ８：前部側非狭隘領域
９、９'：ループ材          １０，１１：フック材
１２，１２'ループ材        １３，１３'：フック材
１４：第３弾性材料
【図１】
2007244650.tif 000003
【図２】
2007244650.tif 000004